(57)【要約】【課題】施工が簡単かつ低コストで、普段の確認も容易なヘッダー工法を提供すること。また、当該ヘッダー工法に最適なヘッダー用カバーを提供すること。【解決手段】ヘッダー用カバー１０は、ヘッダー１１を覆う半円筒状の本体部３１と、本体部３１の縁部に設けられ建物の露出面Ｒに直接固定されるフランジ部３５とを備えている。ヘッダー用カバー１０でヘッダー１１を覆い、ヘッダー用カバー１０を建物の露出面Ｒに直接固定することで、ヘッダー１１とヘッダー用カバー１０とを露出面Ｒに設置する。【選択図】図８
2018100509.tif 000002
【特許請求の範囲】
【請求項１】
配管用のヘッダーを半筒状のヘッダー用カバーで覆い、当該ヘッダー用カバーを建物の露出面に直接固定することで、当該ヘッダーとヘッダー用カバーとを前記露出面に設置することを特徴とするヘッダー工法。
【請求項２】
ヘッダー工法に用いられるヘッダー用カバーであって、配管用のヘッダーを覆う半筒状の本体部と、当該本体部の縁部に設けられ建物の露出面に直接固定されるフランジ部とを備えたことを特徴とするヘッダー用カバー。
【発明の詳細な説明】
【技術分野】
【０００１】
本発明は、給水等の配管に用いられるヘッダー工法及び当該ヘッダー工法に用いられるヘッダー用カバーに関する。
【背景技術】
【０００２】
特許文献１には、給水管や給湯管に接続したヘッダーを床下空間に配置し、ヘッダーからの各分岐管が床下を這うようにして巡らされたヘッダー工法による給水・給湯配管が開示されている。
【０００３】
また、特許文献２には、複数の分岐口を有する配管分岐継手であるヘッダーを使用した給湯システムが開示されている。この給湯システムは、１つの給湯機から複数の給湯器具へ湯を供給するためにヘッダーを用いており、ヘッダーの配置にヘッダーボックスを使用している。
【先行技術文献】
【特許文献】
【０００４】
【特許文献１】特開２００１−０６５００８号公報
【特許文献２】特開２００４−１５６８７６号公報
【発明の概要】
【発明が解決しようとする課題】
【０００５】
ところが、特許文献１の技術は、ヘッダーが床下であるため、普段確認できなくて、漏水時に発見が遅れて被害が大きくなる問題があった。また、特許文献２の技術は、ヘッダーボックスが重くて施工し難く、コスト高となる問題があった。
【０００６】
本発明の目的は、施工が簡単かつ低コストで、普段の確認も容易なヘッダー工法を提供すること。また、当該ヘッダー工法に最適なヘッダー用カバーを提供すること。
【課題を解決するための手段】
【０００７】
上記目的を達成するために請求項１の発明のヘッダー工法は、配管用のヘッダーを半筒状のヘッダー用カバーで覆い、当該ヘッダー用カバーを建物の露出面に直接固定することで、当該ヘッダーとヘッダー用カバーとを前記露出面に設置することを特徴とする。
【０００８】
また、請求項２の発明は、ヘッダー工法に用いられるヘッダー用カバーであって、配管用のヘッダーを覆う半筒状の本体部と、当該本体部の縁部に設けられ建物の露出面に直接固定されるフランジ部とを備えたことを特徴とする。
【発明の効果】
【０００９】
本発明によれば、ヘッダーを建物の露出面に設置するため、普段の確認も容易で、漏水等の不具合を早期に発見できる。また、ヘッダー用カバーは半筒状であるため、ヘッダー用カバーのみでヘッダーの全体を覆う構成よりも軽量かつ安価であるし、露出面に対する固定作業も容易となる。
【図面の簡単な説明】
【００１０】
【図１】ヘッダー用カバーの正面図。
【図２】ヘッダー用カバーの左側面図。
【図３】ヘッダー用カバーの右側面図。
【図４】ヘッダー用カバーの平面図。
【図５】ヘッダー用カバーの底面図。
【図６】ヘッダー用カバーの背面図。
【図７】ヘッダー用カバーとヘッダーとを示す斜視図。
【図８】ヘッダー用カバー及びヘッダーの施工状態を示す正面図。
【発明を実施するための形態】
【００１１】
以下、本発明を具体化した一実施形態について、図面を用いて詳細に説明する。
図７に示すように、給水配管を構成するヘッダー１１は、一端が開口され他端が閉口されたストレート部１２と、ストレート部１２の一端部に設けられた流入側継手部１３と、ストレート部１２の延在方向における所定の位置からそれぞれ分岐して延びる複数（本実施形態においては３つ）の流出側継手部１４とを備えている。流入側継手部１３には水源側から延びる被覆１５ａ付きの流入側パイプ１５が、各流出側継手部１４には各水栓へと延びる被覆１６ａ付きの流出側パイプ１６が、それぞれ接続されている。
【００１２】
図１〜図６に示すように、ヘッダー用カバー１０は、耐候性及び耐紫外線透過性の硬質樹脂材料（例えばポリ塩化ビニル）により形成されている。ヘッダー用カバー１０は、本体部３１とフランジ部３５とを備えている。本体部３１は、半円筒状で延在方向の一端（図１の左方側の端）が閉じられたストレート部３２と、ストレート部３２の延在方向における各位置からそれぞれ分岐して延びる、複数（本実施形態においては３つ）の半円筒状の分岐部３３とを備えている。
【００１３】
図１、図４及び図６に示すように、本体部３１における４つの端には、逆Ｕ字状の内周縁を有する壁部３６がそれぞれ形成されている。各壁部３６の両方の基端には、内周側に向けてそれぞれ突出する突起部３７が形成されている。
【００１４】
図１及び図６に示すように、フランジ部３５は、本体部３１の縁部から外側に向けて延出されている。フランジ部３５は、本体部３１の壁部３６を除く縁部全体にわたって形成されている。フランジ部３５の表面には、複数の非貫通のガイド穴３８が互いに間隔をおいて形成されている。フランジ部３５の裏面には、ガイド穴３８を囲む環状リブ３８ａが形成されている。この環状リブ３８ａにより、フランジ部３５が補強されるほか、ガイド穴３８に連なる下孔をフランジ部３５に形成する際に、穿孔具がガイドされる。
【００１５】
図６に示すように、ストレート部３２における他端（図６の左方側の端）寄りの内周面には、ストレート部３２の中心軸線を挟んで互いに対向する２対の規制リブ３９が、ストレート部３２の軸線方向に互いに間隔をおいて形成されている。各分岐部３３の先端寄りの内周面には、分岐部３３の中心軸線を挟んで互いに対向する２対の規制リブ４０が、分岐部３３の軸線方向に互いに間隔をおいて形成されている。
【００１６】
図８に示すように、ヘッダー１１は、ヘッダー用カバー１０によって覆われるとともに、ヘッダー用カバー１０が建物の露出面Ｒ（室内外の側壁面、室内の天井面又は室内の床面等）に直接固定されることで、ヘッダー用カバー１０とともに露出面Ｒに設置される。当該固定は、ヘッダー用カバー１０のフランジ部３５を露出面Ｒに対して直接突き当て、フランジ部３５のガイド穴３８を介してビスＢを露出面Ｒに対してねじ込むことにより行われる。
【００１７】
ヘッダー用カバー１０が露出面Ｒに固定された状態では、各壁部３６及び突起部３７（図７参照）が、対応する流入側パイプ１５又は流出側パイプ１６の被覆１５ａ，１６ａに食い込んで隙間を無くし、当該隙間を経由した紫外線等の侵入を抑制する。これは、ヘッダー１１等の紫外線による劣化を防止することにつながる。ヘッダー用カバー１０が露出面Ｒに固定された状態では、各壁部３６及び突起部３７や規制リブ３９,４０（図７参照）が、対応する流入側パイプ１５及び流出側パイプ１６の被覆１５ａ，１６ａに食い込むことで、熱収縮等に起因したヘッダー用カバー１０に対する被覆１５ａ，１６ａの変位が規制される。
【００１８】
以上のように本実施形態によれば、ヘッダー１１を建物の露出面Ｒに設置するため、普段の確認も容易で漏水等の不具合を早期に発見できる。また、ヘッダー用カバー１０は半円筒状であるため、ヘッダー用カバー１０のみでヘッダー１１の全体を覆う構成よりも軽量かつ安価であるし、フランジ部３５を露出面Ｒに直接固定する簡単な作業で済む。
【００１９】
＜別例＞
上記実施形態は、例えば以下のように変更することもできる。
○ヘッダー用カバー１０の分岐部３３の数を４つ、５つ、６つ、７つ等に変更すること。
【００２０】
○ヘッダー用カバー１０（フランジ部３５）を、露出面Ｒに対して接着剤または両面テープで固定すること。
【００２１】
○ヘッダー用カバー１０の本体部３１を、半円筒状以外の半筒状として半角筒状とすること。
【００２２】
○フランジ部３５を削除して、本体部３１の縁部を露出面Ｒに対して直接固定すること。
【００２３】
○ヘッダー用カバー１０の内部に、ヘッダー１１がヘッダー用カバー１０に対して相対移動することを防止する移動規制手段を設けること。このようにすれば、水撃作用等に起因してヘッダー用カバー１０の内部でヘッダー１１が動くことを防止できて、ヘッダー１１がヘッダー用カバー１０の内面に当接して異音等が発生することを防止できる。この移動規制手段としては、ヘッダー１１の位置決めを行うリブ構造や、ヘッダー用カバー１０とヘッダー１１との間に介在される緩衝材であってもよい。当該緩衝材として、例えばポリウレタンフォーム等の発泡樹脂材を用いれば、保温効果も奏し得る。当該発泡樹脂材を用いる場合には、ヘッダー１１及びヘッダー用カバー１０を露出面Ｒに対して設置した後に、ヘッダー用カバー１０とヘッダー１１との間に発泡樹脂材を充填する手順を採用してもよい。
【符号の説明】
【００２４】
１０…ヘッダー用カバー、１１…ヘッダー、３１…本体部、３５…フランジ部。
【図１】
2018100509.tif 000003
【図２】
2018100509.tif 000004
【図３】
2018100509.tif 000005
【図４】
2018100509.tif 000006
【図５】
2018100509.tif 000007
【図６】
2018100509.tif 000008
【図７】
2018100509.tif 000009
【図８】
2018100509.tif 000010